(57)【要約】【課題】防水ケースを装着した状態での操作性を確保でき、水中でも誤操作することなしにカメラの各種機能を簡単に実行する。【解決手段】デジタルカメラ１０は、装置本体と、この装置本体に設けられ、各種機能を指示操作するための複数のキーを有する操作部７３と、防水ケース３０から各キーに対応した制御信号を受信する通信部７６と、この受信された制御信号に基づいて所定の処理を実行する制御部７１とを備える。防水ケース３０は、ケース本体と、このケース本体の前記装置本体と対向する面に、デジタルカメラ１０の各キーの相対的な位置関係と同じになるように配置された複数の操作ボタンを有する操作部８２と、これらの操作ボタンのいずれかが操作された際に、当該操作ボタンに対応したキーの制御信号を生成する制御部８１と、この生成された制御信号を防水ケース３０に送信する通信部８４とを備える。【選択図】      図７
2008164837.tif 000002
【特許請求の範囲】
【請求項１】
撮像装置と、この撮像装置に着脱自在に装着される防水ケースとからなる撮影システムにおいて、
前記撮像装置は、
装置本体と、
この装置本体に設けられ、各種機能を指示操作するための複数のキーと、
前記防水ケースから前記各キーに対応した制御信号を受信する受信手段と、
この受信手段によって受信された制御信号に基づいて所定の処理を実行する処理実行手段とを備え、
前記防水ケースは、
ケース本体と、
前記撮像装置に装着した状態で、前記ケース本体の前記装置本体と対向する面に、前記各キーの相対的な位置関係と同じになるように配置された複数の操作ボタンと、
これらの操作ボタンのいずれかが操作された際に、当該操作ボタンに対応したキーの制御信号を生成する信号生成手段と、
この信号生成手段によって生成された制御信号を前記撮像装置に送信する送信手段とを備えたことを特徴とする撮影システム。
【請求項２】
前記ケース本体に設けられた前記各操作ボタンは、前記装置本体に設けられた前記各キーの間隔よりも広く配置されていることを特徴とする請求項１記載の撮影システム。
【請求項３】
前記ケース本体に設けられた前記各操作ボタンのうちの特定の操作ボタンには、前記装置本体に設けられた前記各キーのうちの少なくとも２つのキーが割り当てられ、
前記信号生成手段は、前記特定の操作ボタンの操作の仕方に応じて、前記２つのキーの制御信号を選択的に生成することを特徴とする請求項１記載の撮影システム。
【請求項４】
前記信号生成手段は、前記特定の操作ボタンの操作時間に基づいて、所定時間より短い操作の場合には前記２つのキーの一方のキーの制御信号を生成し、前記所定時間以上の連続した操作の場合には前記２つのキーの他方のキーの制御信号を生成することを特徴とする請求項３記載の撮影システム。
【請求項５】
前記防水ケースは、
前記各操作ボタンと前記各キーの制御信号とを関連付けた入力制御テーブルを備え、
前記信号生成手段は、前記各操作ボタンのいずれかが操作された際に、前記入力制御テーブルを参照して当該操作ボタンに対応したキーの制御信号を生成することを特徴とする請求項１記載の撮影システム。
【請求項６】
前記撮像装置は、
前記各キーに対応した処理と制御信号とを関連付けた入力制御テーブルを備え、
前記処理実行手段は、前記受信手段を介して受信された制御信号に対応した処理を前記入力制御テーブルを参照して特定し、その特定された処理を実行することを特徴とする請求項１記載の撮影システム。
【請求項７】
前記防水ケースは、
水中撮影で必要とされる情報を測定するセンサと、
このセンサにて測定された情報を前記送信手段を介して前記防水ケースに送信するように制御する送信制御手段とを備えたことを特徴とする請求項１記載の撮影システム。
【請求項８】
前記撮像装置は、
撮影時にスルー画像を表示するための表示手段と、
前記受信手段を介して受信された前記センサの情報を前記スルー画像と共に前記表示手段に表示する表示制御手段とを備えたことを特徴とする請求項７記載の撮影システム。
【請求項９】
前記撮像装置は、
撮影画像を記憶するための記憶手段と、
前記受信手段を介して受信された前記センサの情報を前記撮影画像に付加して前記記憶手段に記憶する記憶制御手段とを備えた特徴とする請求項７記載の撮影システム。
【請求項１０】
複数の操作ボタンを有し、これらの操作ボタンのいずれかが操作された際に、当該操作ボタンに対応したキーの制御信号を送信する機能を備えた防水ケースが着脱自在に装着される撮像装置において、
装置本体と、
この装置本体に設けられ、各種機能を指示操作するための複数のキーと、
この複数のキーの操作状態に基づいて複数の処理を選択的に実行する処理実行手段と、
前記防水ケースから前記各キーに対応した制御信号を受信する受信手段と、
この受信手段によって受信された制御信号に基づいて、前記処理実行手段に前記複数の処理を選択的に実行させる第１の実行制御手段と
を備えたことを特徴とする撮像装置。
【請求項１１】
前記受信手段によって受信される制御信号に基づいて、前記処理実行手段に前記複数の処理とは異なる処理を実行させる第２の実行制御手段を備えたことを特徴とする請求項１０記載の撮像装置。
【請求項１２】
前記第２の実行制御手段は、前記防水ケースに備えられたセンサにより測定された情報を前記受信手段によって受信した場合に、前記処理実行手段に前記複数の処理とは異なる処理を実行させることを特徴とする請求項１１記載の撮像装置。
【請求項１３】
装置本体に配置された複数のキーの操作状態に基づいて予め決められた複数の処理の中から実行すべき処理を特定する手段と、外部から受信した制御信号に基づいて前記予め決められた複数の処理の中から実行すべき処理を特定する手段とを備えた撮像装置を収納するための防水ケースにおいて、
前記撮像装置を収納可能なケース本体と、
前記撮像装置を収納した状態で、前記ケース本体の前記装置本体と対向する面に、前記各キーの相対的な位置関係と同じになるように配置された複数の操作ボタンと、
これらの操作ボタンのいずれかが操作された際に、当該操作ボタンに対応した位置にある前記装置本体側のキーに対応させて、前記制御信号を生成する信号生成手段と、
この信号生成手段によって生成された制御信号を前記撮像装置に送信する送信手段と
を備えたことを特徴とする防水ケース。
【請求項１４】
複数のキーが配置された撮像装置と、この撮像装置を収納した状態で、前記撮像装置に設けられた複数のキーの各々と対応する位置に複数の操作ボタンが配置された防水ケースとからなる撮影システムを制御するプログラムであって、
前記撮影システムを、
前記撮像装置に設けられたキーが操作された場合に、この操作されたキーに対応する処理を前記撮像装置に実行させる第１の実行制御手段と、
前記撮像装置が制御信号を受信した場合に、この受信した制御信号に対応する処理を前記撮像装置に実行させる第２の実行制御手段と、
前記防水ケースに設けられた操作ボタンが操作された場合に、この操作ボタンに対応した位置に設けられた前記撮像装置側のキーの操作と同じ処理を前記撮像装置に実行させるための制御信号を前記防水ケースに生成させる生成手段と、
前記生成手段により生成された制御信号を前記防水ケースから前記撮像装置に送信する送信手段と、
して機能させるためのプログラム。
【発明の詳細な説明】
【技術分野】
【０００１】
本発明は、例えばデジタルカメラ等の撮像装置と防水ケースとからなる撮影システムと、この撮像システムに用いられる撮像装置、防水ケース及びプログラムに関する。
【背景技術】
【０００２】
近年、デジタルカメラの普及に伴い、陸上での撮影に限らず、水中ハウジングを用いて水中での撮影を行う機会が増えて来ている。水中ハウジングとは、カメラ機器を収納する透明性の防水ケースであって、外部からシャッタキー等の各種キーを操作可能な機構を有する。
【０００３】
従来、このような防水ケースに関し、様々な提案がなされている。例えば、特許文献１，２では、防水ケースの本体に、多数の押下式のボタンスイッチ（以下、押ボタンと称す）をカメラ側のキー配置に合わせて設置し、これらの押ボタンを押下することでカメラ側の各種キーを操作することが開示されている。
【特許文献１】特開２００５−３１０６８５号公報
【特許文献２】特開２００６−１１４４３１号公報
【発明の開示】
【発明が解決しようとする課題】
【０００４】
上述したように、デジタルカメラに用いられる防水ケースは、カメラ側の各キーを防水ケース側から直接押下する方式が一般的であり、カメラ側のキーとほぼ同じ位置にボタンが配置されている。
【０００５】
ここで、防水ケースに設けられるボタンは、水中での操作性を考慮して、ある程度の大きさを必要とする。このため、カメラ側のキー配置に合わせて設置すると、各ボタンが同じ箇所に密集してしまい、水中グローブをはめた手では非常に操作しづらく、誤って別のボタンを押下してしまうなどの問題があった。
【０００６】
本発明は前記のような点に鑑みなされたもので、防水ケースを装着した状態での操作性を確保でき、水中でも誤操作することなしにカメラの各種機能を簡単に実行することのできる撮影システム、この撮像システムに用いられる撮像装置、防水ケース及びプログラムを提供することを目的とする。
【課題を解決するための手段】
【０００７】
本発明の請求項１に係る撮影システムは、撮像装置と、この撮像装置に着脱自在に装着される防水ケースとからなる撮影システムにおいて、前記撮像装置は、装置本体と、この装置本体に設けられ、各種機能を指示操作するための複数のキーと、前記防水ケースから前記各キーに対応した制御信号を受信する受信手段と、この受信手段によって受信された制御信号に基づいて所定の処理を実行する処理実行手段とを備え、前記防水ケースは、ケース本体と、前記撮像装置に装着した状態で、前記ケース本体の前記装置本体と対向する面に、前記各キーの相対的な位置関係と同じになるように配置された複数の操作ボタンと、これらの操作ボタンのいずれかが操作された際に、当該操作ボタンに対応したキーの制御信号を生成する信号生成手段と、この信号生成手段によって生成された制御信号を前記撮像装置に送信する送信手段とを備えたことを特徴とする。
【０００８】
また、本発明の請求項２は、請求項１記載の撮影システムにおいて、前記ケース本体に設けられた前記各操作ボタンは、前記装置本体に設けられた前記各キーの間隔よりも広く配置されていることを特徴とする。
【０００９】
また、本発明の請求項３は、請求項１記載の撮影システムにおいて、前記ケース本体に設けられた前記各操作ボタンのうちの特定の操作ボタンには、前記装置本体に設けられた前記各キーのうちの少なくとも２つのキーが割り当てられ、前記信号生成手段は、前記特定の操作ボタンの操作の仕方に応じて、前記２つのキーの制御信号を選択的に生成することを特徴とする。
【００１０】
また、本発明の請求項４は、請求項３記載の撮影システムにおいて、前記信号生成手段は、前記特定の操作ボタンの操作時間に基づいて、所定時間より短い操作の場合には前記２つのキーの一方のキーの制御信号を生成し、前記所定時間以上の連続した操作の場合には前記２つのキーの他方のキーの制御信号を生成することを特徴とする。
【００１１】
また、本発明の請求項５は、請求項１記載の撮影システムにおいて、前記防水ケースは、前記各操作ボタンと前記各キーの制御信号とを関連付けた入力制御テーブルを備え、前記信号生成手段は、前記各操作ボタンのいずれかが操作された際に、前記入力制御テーブルを参照して当該操作ボタンに対応したキーの制御信号を生成することを特徴とする。
【００１２】
また、本発明の請求項６は、請求項１記載の撮影システムにおいて、前記撮像装置は、前記各キーに対応した処理と制御信号とを関連付けた入力制御テーブルを備え、前記処理実行手段は、前記受信手段を介して受信された制御信号に対応した処理を前記入力制御テーブルを参照して特定し、その特定された処理を実行することを特徴とする。
【００１３】
また、本発明の請求項７は、請求項１記載の撮影システムにおいて、前記防水ケースは、水中撮影で必要とされる情報を測定するセンサと、このセンサにて測定された情報を前記送信手段を介して前記防水ケースに送信するように制御する送信制御手段とを備えたことを特徴とする。
【００１４】
また、本発明の請求項８は、請求項７記載の撮影システムにおいて、前記撮像装置は、撮影時にスルー画像を表示するための表示手段と、前記受信手段を介して受信された前記センサの情報を前記スルー画像と共に前記表示手段に表示する表示制御手段とを備えたことを特徴とする。
【００１５】
また、本発明の請求項９は、請求項７記載の撮影システムにおいて、前記撮像装置は、撮影画像を記憶するための記憶手段と、前記受信手段を介して受信された前記センサの情報を前記撮影画像に付加して前記記憶手段に記憶する記憶制御手段とを備えた特徴とする。
【００１６】
本発明の請求項１０に係る撮像装置は、複数の操作ボタンを有し、これらの操作ボタンのいずれかが操作された際に、当該操作ボタンに対応したキーの制御信号を送信する機能を備えた防水ケースが着脱自在に装着される撮像装置において、装置本体と、この装置本体に設けられ、各種機能を指示操作するための複数のキーと、この複数のキーの操作状態に基づいて複数の処理を選択的に実行する処理実行手段と、前記防水ケースから前記各キーに対応した制御信号を受信する受信手段と、この受信手段によって受信された制御信号に基づいて、前記処理実行手段に前記複数の処理を選択的に実行させる第１の実行制御手段とを備えたことを特徴とする。
【００１７】
また、本発明の請求項１１は、請求項１０記載の撮像装置において、前記受信手段によって受信される制御信号に基づいて、前記処理実行手段に前記複数の処理とは異なる処理を実行させる第２の実行制御手段を備えたことを特徴とする。
【００１８】
また、本発明の請求項１２は、請求項１１記載の撮像装置において、前記第２の実行制御手段は、前記防水ケースに備えられたセンサにより測定された情報を前記受信手段によって受信した場合に、前記処理実行手段に前記複数の処理とは異なる処理を実行させることを特徴とする。
【００１９】
本発明の請求項１３に係る防水ケースは、装置本体に配置された複数のキーの操作状態に基づいて予め決められた複数の処理の中から実行すべき処理を特定する手段と、外部から受信した制御信号に基づいて前記予め決められた複数の処理の中から実行すべき処理を特定する手段とを備えた撮像装置を収納するための防水ケースにおいて、前記撮像装置を収納可能なケース本体と、前記撮像装置を収納した状態で、前記ケース本体の前記装置本体と対向する面に、前記各キーの相対的な位置関係と同じになるように配置された複数の操作ボタンと、これらの操作ボタンのいずれかが操作された際に、当該操作ボタンに対応した位置にある前記装置本体側のキーに対応させて、前記制御信号を生成する信号生成手段と、この信号生成手段によって生成された制御信号を前記撮像装置に送信する送信手段とを備えたことを特徴とする。
【００２０】
本発明の請求項１４に係るプログラムは、複数のキーが配置された撮像装置と、この撮像装置を収納した状態で、前記撮像装置に設けられた複数のキーの各々と対応する位置に複数の操作ボタンが配置された防水ケースとからなる撮影システムを制御するプログラムであって、前記撮影システムを、前記撮像装置に設けられたキーが操作された場合に、この操作されたキーに対応する処理を前記撮像装置に実行させる第１の実行制御手段と、前記撮像装置が制御信号を受信した場合に、この受信した制御信号に対応する処理を前記撮像装置に実行させる第２の実行制御手段と、前記防水ケースに設けられた操作ボタンが操作された場合に、この操作ボタンに対応した位置に設けられた前記撮像装置側のキーの操作と同じ処理を前記撮像装置に実行させるための制御信号を前記防水ケースに生成させる生成手段と、前記生成手段により生成された制御信号を前記防水ケースから前記撮像装置に送信する送信手段と、して機能させる。
【発明の効果】
【００２１】
本発明によれば、防水ケースを装着した状態での操作性を確保でき、水中でも誤操作することなしにカメラの各種機能を簡単に実行することができる。
【発明を実施するための最良の形態】
【００２２】
以下、図面を参照して本発明の実施形態を説明する。
【００２３】
（第１の実施形態）
図１および図２は本発明の第１の実施形態に係る撮像装置として小型のデジタルカメラを例にした場合の外観構成を示す図であり、図１はそのデジタルカメラを正面から見た斜視図、図２はそのデジタルカメラの背面図である。また、図３および図４は同実施形態における防水ケースの外観構成を示す図であり、図３はその防水ケースを正面から見た斜視図、図４はその防水ケースの背面図である。
【００２４】
本実施形態におけるデジタルカメラ１０は、図１に示すように、六面体形状のカメラ本体１１を備えている。カメラ本体１１の前面には、撮影レンズ部１２、ストロボ部１３などが設けられている。
【００２５】
撮影レンズ部１２は、カメラ本体１１の前面から鏡胴１２ａが３段階で出没自在に突出することにより、望遠機能や広角機能などのズーム機能を実現する。この撮影レンズ部１２は、撮影しないときにカメラ本体１１内に没入して収納され、撮影するときにカメラ本体１１の厚みに対して、例えば１〜１．５倍程度、カメラ本体１１の前面から突出するように構成されている。
【００２６】
また、カメラ本体１１の上面には、電源キー１４、シャッタキー１５、ズームキー１６などが設けられている。ここで、シャッタキー１５は、円形状の押下式スイッチから構成され、そのシャッタキー１５の外周部に回転式スイッチからなるズームキー１６が回転自在に設けられている。このズームキー１６の外周部の一端には操作レバー１６ａが突出形成されており、撮影時にこの操作レバー１６ａを矢印のように左右方向に回転させることでズーム操作を行う。
【００２７】
また、このカメラ本体１１の背面には、図２に示すように、表示部１７が設けられていると共に、その表示部１７の周辺に撮影キー１８、再生キー１９、ＤＩＳＰキー２０、メニューキー２１、多機能キー２２、ベストショットキー２３などの各種キーが配設されている。
【００２８】
表示部１７は、バックライト付きのカラー液晶パネルなどから構成され、撮影モード時には電子ファインダとしてスルー画像のモニタ表示を行う一方で、再生モード時には選択した画像等を再生表示する。
【００２９】
撮影キー１８は、撮影モードを設定する場合に用いられる。再生キー１９は、撮影モードを設定する場合に用いられる。ＤＩＳＰキー２０は、表示モードを切換える場合に用いられる。メニューキー２１は、各種メニュー項目等を選択する場合に用いられる。
【００３０】
多機能キー２２は、中央部に位置するセットキー２２ａと、そのセットキー２２ａの上下左右に配置された４つの選択キー２２ｂ〜２２ｅとからなり、選択キー２２ｂ〜２２ｅの押下操作によって各種設定項目を選択し、その選択された項目をセットキー２２ａの押下操作にて決定するように構成されている。ベストショットキー２３は、予め用意された各種撮影モードを選択する場合に用いられる。
【００３１】
なお、特に図示はしないが、カメラ本体１１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ、三脚穴などが設けられている。
【００３２】
一方、このデジタルカメラ１０に用いられる防水ケース３０は、例えば耐水深度４０メートルでの水中撮影を可能とする。この防水ケース３０は、図３に示すように、カメラ本体１１を収容するための六面体形状のケース本体３１を備えている。
【００３３】
ケース本体３１は、例えば透明ポリカーボネット樹脂などの透明合成樹脂で形成され、フロントケース３２とリアケース３３とで構成されている。フロントケース３２はケース本体３１の前面、リアケース３３はケース本体３１の背面を構成し、互いに閉じた状態でカメラ本体１１の収納スペースを形成する。
【００３４】
フロントケース３２とリアケース３３は、それぞれの一側部に設けられたヒンジ部３４を介して回動自在に連結されている。このケース本体３１のヒンジ部３４と反対側に位置する各他側部にロック部材３５が設けられており、このロック部材３５によってフロントケース３２とリアケース３３とを閉じた状態で係脱可能にロックするように構成されている。また、ケース本体３１の前面には、デジタルカメラ１０の撮影レンズ部１２を収納するための収納筒部３６がフロントケース３２と一体に形成されている。
【００３５】
そして、この防水ケースは、後述する機能を備えた所定のカメラ本体を収納するのに特に適するように、その形状や内部機構が設けられており、この所定のカメラ本体を収納した状態でカメラ本体が固定されるようになっている。
【００３６】
ここで、フロントケース３２の上面には、デジタルカメラ１０の電源キー１４、シャッタキー１５に対応した押ボタン３７、３８が設けられている。なお、シャッタキー１５に対応した押ボタン３８には、押下スイッチ４０が軸４０ａを支点に上下方向に回動自在に設けられており、この押下スイッチ４０を介して押ボタン３８を押下操作するように構成されている。さらに、このフロントケース３２の上面には、デジタルカメラ１０のズームキー１６に対応した回転スイッチ３９が回転自在に設けられている。
【００３７】
一方、リアケース３３の背面には、図４に示すように、撮影キー１８に対応した押ボタン４１、再生キー１９に対応した押ボタン４２、ＤＩＳＰキー２０に対応した押ボタン４３、メニューキー２１に対応した押ボタン４４が設けられている。また、多機能キー２２の中のセットキー２２ａに対応した押ボタン４５、選択キー２２ｂ〜２２ｅに対応した押ボタン４６〜４７、さらに、ベストショットキー２３に対応した押ボタン５０が設けられている。
【００３８】
このような構成において、防水ケース３０のフロントケース３２とリアケース３３とをヒンジ部３４を支点に回動させて開き、その内部にデジタルカメラ１０を配置してフロントケース３２とリアケース３３とを閉じる。この状態で、ロック部材３５によってフロントケース３２とリアケース３３とをロックすることにより、防水性を確保してデジタルカメラ１０を収納することができる。
【００３９】
ところで、防水ケース３０の一般的なボタン構造としては、デジタルカメラ１０の各キーに直接接触して押下操作するものである。このため、図５に示すように、防水ケース３０の各ボタンをデジタルカメラ１０の各キーの位置に合わせて配置しなければならず、各ボタンの間隔が狭くなるといった問題がある。
【００４０】
また、この操作のための可動部材が防水ケース３０を貫通しているため、あまり高い水圧には耐えられないという問題もある。
【００４１】
これに対し、本実施形態における防水ケース３０には、後述するようにマイコン（マイクロコンピュータ）が搭載されており、防水ケース３０に設けられた各ボタンの操作を信号化してデジタルカメラ１０に送信するように構成されている。したがって、防水ケース３０側では、デジタルカメラ１０の各キーの配置に依存されず、各ボタンを自由に配置することができる。ただし、カメラ側と同じ操作性を維持するために、各ボタンの相対的な位置関係をカメラ側の各キーと同じにする必要がある。
【００４２】
また、防水ケース３０を貫通する可動部材が無いので、より高い水圧にも耐えることができる。
【００４３】
図４の例では、ＤＩＳＰキー２０に対応した押ボタン４３を押ボタン４２から左方向に離間させて配置してある。また、メニューキー２１に対応した押ボタン４４、選択キー２２ｂに対応した押ボタン４６を押ボタン４５から上方向に離間させて配置すると共に、選択キー２２ｃに対応した押ボタン４７、ベストショットキー２３に対応した押ボタン５０を押ボタン４５から下方向に離間させて配置してある。
【００４４】
このように、防水ケース３０の各ボタンの相対的な位置関係をカメラ側の各キーと同じようにして配置することにより、防水ケース３０の各ボタンとカメラ側の各キーの位置が多少ずれていても、撮影者が通常の違和感なく操作することができる。
【００４５】
なお、相対的な位置関係が同じ配置とは、カメラ本体のキー操作と比較して違和感をなくすことを目的とするものであり、必ずしも全てのキーの相対的な位置関係が同じでなくとも、頻繁に操作されるキーなど、所定のキーだけを対象としてもよい。
【００４６】
また、上下の位置関係、左右の位置関係、各キーが配置される面の位置関係、の全ての位置関係が同じでなくとも、いずれかの位置関係が同じであればよい。特に各キーが配置される面の位置関係を同じにすることにより、同じ操作性を維持できる効果は大きい。何故ならば、撮影中においては、上面や前面のキーは人差し指で操作し、後面のキーは親指で操作するなど、キーが配置されている面毎に操作する指や操作の仕方が決まっている場合が多いため、同じ指で同じ操作ができることは違和感無く容易な操作を行う上で特に重要だからである。
【００４７】
また、このような相対的な位置関係を維持したままで、図４の例のように各ボタンの間隔を広げることで、水中グローブなどを装着した手で操作した場合に他のボタンを誤操作することを防ぐことができる。
【００４８】
さらに、各ボタンの間隔を広げて配置することで、各ボタンのキートップの段差をなくすことができるといったメリットもある。この様子を図６に示す。
【００４９】
すなわち、今、３つの操作ボタン５１，５２，５３をケース本体３１に設ける場合を想定する。これらの操作ボタン５１，５２，５３の間隔が狭い場合には、撮影者が他のボタンを誤操作しないように、それぞれのキートップに段差を設けておく必要があり、外観的に見栄えの悪いものとなる。これに対し、各操作ボタン５１，５２，５３の間隔を広げて配置した場合には、このような段差は不要となり、キートップの高さを揃えて外観的に見栄えの良いものにできる。
【００５０】
次に、このような防水ケース３０を用いた撮影システムの構成について、詳しく説明する。
【００５１】
図７は第１の実施形態における撮影システムの構成を示すブロック図である。この撮影システムは、デジタルカメラ１０と防水ケース３０とからなる。デジタルカメラ１０と防水ケース３０は、防水ケース３０にデジタルカメラ１０が収納された状態で、カメラ本体１１とケース本体３１の所定の箇所（例えば底部）に設けられたコネクタ７０，８０を通じて電気的に接続される。
【００５２】
図７に示すように、デジタルカメラ１０には、マイクロコンピュータである制御部７１が備えられていると共に、撮像部７２、操作部７３、表示部１７、記憶部７５、通信部７６が備えられている。
【００５３】
制御部７１は、デジタルカメラ１０の動作制御を行うものであり、記憶部７５に記憶されたプログラムを読み込むことにより、そのプログラムに記述された手順に従って各種処理を実行する。
【００５４】
撮像部７２は、ＣＣＤ(charge coupled device)等の撮像素子やその駆動回路などを含み、撮影レンズ部１２を通じて撮影された被写体の画像を電気信号に変換して取り込む。なお、この撮像部７２の構成については本発明とは直接関係しないため、その詳しい説明は省略する。
【００５５】
操作部７３は、カメラ本体１１に設けられた各種キーを有し、これらのキーの操作信号を制御部７１に出力する。表示部１７は、図２に示したようにカメラ本体１１の背面に設置されて、スルー画像のモニタ表示や、撮影画像の再生表示などを行う。
【００５６】
記憶部７５は、ＲＯＭ、ＲＡＭなどの記憶デバイスからなり、制御部７１の動作に必要な各種データを記憶している。この記憶部７５には、各種プログラムを記憶するためのプログラム記憶部７５ａ、後述する入力制御テーブルＴ１（図８参照）を記憶するためのテーブル記憶部７５ｂ、画像データを記憶するための画像記憶部７５ｃが設けられている。また、通信部７６は、シリアルインタフェースからなり、防水ケース３０との間の通信処理を行う。
【００５７】
一方、防水ケース３０には、マイクロコンピュータである制御部８１が備えられていると共に、操作部８２、記憶部８３、通信部８４が備えられている。
【００５８】
制御部８１は、防水ケース３０の動作制御を行うものであり、記憶部８３に記憶されたプログラムを読み込むことにより、そのプログラムに記述された手順に従って各種処理を実行する。
【００５９】
操作部８２は、ケース本体３１のカメラ本体１１と対向する面に、デジタルカメラ１０の各キーの相対的な位置関係を同じにして配置された複数の操作ボタンを有し、これらの操作ボタンの信号を制御部８１に出力する。
【００６０】
記憶部８３は、ＲＯＭ、ＲＡＭなどの記憶デバイスからなり、制御部８１の動作に必要な各種データを記憶している。この記憶部８３には、各種プログラムを記憶するためのプログラム記憶部８３ａ、後述する入力制御テーブルＴ２（図９参照）を記憶するためのテーブル記憶部８３ｂが設けられている。また、通信部８４は、シリアルインタフェースからなり、デジタルカメラ１０との間の通信処理を行う。
【００６１】
図８はデジタルカメラ１０に設けられた入力制御テーブルＴ１の構成を示す図である。
【００６２】
入力制御テーブルＴ１には、デジタルカメラ１０に設けられた各キーの種類とこれらのキーの操作によって実行される処理の内容が記憶されている。例えば、電源キー１４の押下操作によって入力される信号は電源のＯＮ／ＯＦＦ処理に対応している。また、ズームキー１６の回転操作によって入力される信号はズーム処理に対応している。なお、ズームキー１６が回転式スイッチで構成されている場合には、そのときの回転方向によって広角処理または望遠処理が実行され、さらに、そのときの回転量によって倍率が変更されることになる。
【００６３】
さらに、この入力制御テーブルＴ１には、各キーの操作によって実行される処理を特定するための制御信号がコード番号の形態で記憶されている。例えば、電源キー１４の操作によって実行されるＯＮ／ＯＦＦ処理には、コード番号「４１」が割り当てられている。これにより、防水ケース３０からコード番号「４１」を示す信号を受信した場合に、電源キー１４が操作されたものとしてＯＮ／ＯＦＦ処理を実行することができる。他のキーについても同様である。
【００６４】
図９は防水ケース３０に設けられた入力制御テーブルＴ２の構成を示す図である。
【００６５】
入力制御テーブルＴ２には、防水ケース３０に設けられた各ボタンの種類と、これらのボタンが操作されたときにデジタルカメラ１０に送信するコード番号が記憶されている。例えば、電源キー１４に対応した押ボタン３７が押下操作された場合にはコード番号「４１」がデジタルカメラ１０に送信される。なお、ズームキー１６に対応した回転スイッチ３９に関しては、その回転方向に応じてコード番号「４２」または「４３」が送信されることになる。この場合、同一方向に回転操作されている間、同じコード番号がリピート送信されることになる。
【００６６】
次に、本システムの動作について、（ａ）デジタルカメラ側の処理、（ｂ）防水ケース側の処理に分けて説明する。
【００６７】
（ａ）デジタルカメラ側の処理  
図１０は第１の実施形態におけるデジタルカメラ１０の処理動作を示すフローチャートである。なお、このフローチャートで示される処理は、プログラムコードの形態で記憶部７５のプログラム記憶部７５ａに予め記録されている。マイクロコンピュータである制御部７１は、このプログラムを読み込むことで、以下のような処理を実行する。
【００６８】
すなわち、まず、制御部７１は、操作部７３からキー信号の入力があったか否かを判断する（ステップＡ１１）。ここで言うキー信号とは、カメラ本体１１に設けられた電源キー１４、シャッタキー１５、ズームキー１６などの本体キーの操作によって入力される信号のことである。
【００６９】
操作部７３からキー信号の入力があると（ステップＡ１１のＹｅｓ）、制御部７１は、その入力キーに対応した処理を図８の入力制御テーブルＴ１を参照して特定し（ステップＡ１２）、その特定された処理を実行する（ステップＡ１３）。これにより、例えばメニューキー２１が押下された場合には、そのキー信号に基づいて図示せぬメニュー画面が表示部１７に表示されることになる。
【００７０】
一方、操作部７３からキー信号の入力がなければ（ステップＡ１１のＹｅｓ）、制御部７１は、防水ケース３０からコード信号を受信したか否かを判断する（ステップＡ１４）。ここで言うコード信号とは、入力制御テーブルＴ１に記憶された各キーに対応したコード番号を示す信号のことである。
【００７１】
制御部７１は、防水ケース３０から通信部７６を介してコード信号を受信すると（ステップＡ１４のＹｅｓ）、その受信コードに対応した処理を図８の入力制御テーブルＴ１を参照して特定し（ステップＡ１５）、その特定された処理を実行する（ステップＡ１３）。これにより、例えば防水ケース３０からコード番号「４４」を示す信号が送られてきた場合には、デジタルカメラ１０のメニューキー２１を操作したときと同様のメニュー表示が実行されることになる。
【００７２】
（ｂ）防水ケース側の処理  
図１１は第１の実施形態における防水ケース３０の処理動作を示すフローチャートである。なお、このフローチャートで示される処理は、プログラムコードの形態で記憶部８３のプログラム記憶部８３ａに予め記録されている。マイクロコンピュータである制御部８１は、このプログラムを読み込むことで、以下のような処理を実行する。
【００７３】
すなわち、制御部８１は、操作部８２からキー信号の入力があったか否かを判断する（ステップＢ１１）。ここで言うキー信号とは、ケース本体３１に設けられた押ボタン３７、押ボタン３８、回転スイッチ３９などのケース側のキーの操作によって入力される信号のことである。
【００７４】
操作部８２からキー信号の入力があると（ステップＢ１１のＹｅｓ）、制御部８１は、その入力キーに対応したコード番号を図９の入力制御テーブルＴ２を参照して特定し（ステップＢ１２）、その特定されたコード番号を示す信号を生成してデジタルカメラ１０に送信する（ステップＢ１３）。これにより、例えば押ボタン４５が押下された場合には、コード番号「４４」を示す信号が通信部８４を介してデジタルカメラ１０に送信されることになる。
【００７５】
このように、デジタルカメラ１０と防水ケース３０とで、各キーに対応したコード番号をテーブル化して共通に持ち、防水ケース３０側でのボタン操作に伴い、そのコード番号をデジタルカメラ１０に送信することで、デジタルカメラ１０側のキー操作と同様の処理を実行させることができる。
【００７６】
（第２の実施形態）
次に、本発明の第２の実施形態について説明する。  
通常は、図５に示したように、デジタルカメラ１０側に設けられている各キーに対応させて、防水ケース３０側にも同様の数のボタンを設置する必要がある。このため、各ボタンの間隔が狭くなり、水中グローブを装着した手で操作すると、他のボタンを誤操作してしまうといった問題があった。そこで、第２の実施形態では、１つのボタンに２つのキーを割り当てることで、ボタンの数を削減することを特徴とする。
【００７７】
図１２は本発明の第２の実施形態における防水ケース３０の各ボタンの配置を示す図である。
【００７８】
防水ケース３０のケース本体３１には、デジタルカメラ１０の各種機能を操作するための多数のボタンが設けられている。これらのボタンのうちの特定のボタンに関しては、２つのキーが割り当てられている。
【００７９】
すなわち、図１２の例では、押ボタン４１に対しては、撮影キー１８と再生キー１９が割り当てられている。また、押ボタン４６に対しては、選択キー２２ｂとメニューキー２１が割り当てられている。押ボタン４７に対しては、選択キー２２ｅとベストショットキー２３が割り当てられている。
【００８０】
なお、この他に、例えば図中の点線で示すように、デジタルカメラ１０のセットキー２２ａに対応した押ボタン４５をなくし、セットボタンとしての役割をシャッタボタン（図３の押ボタン３８）で代用するようにしても良い。
【００８１】
このように、１つのボタンに２つのキーを割り当てれば、防水ケース３０に設けるボタンの数を削減できる。これにより、各ボタンの間隔を広げて配置でき、前記第１の実施形態と同様に、水中グローブなどを装着した手で操作した場合に他のボタンを誤操作してしまうことを防ぐことができる。
【００８２】
次に、このようなボタン構造を有する防水ケース３０を用いた場合の具体的な処理について説明する。
【００８３】
基本的な装置構成は図７と同様であり、防水ケース３０にマイコンが搭載されており、防水ケース３０からデジタルカメラ１０に対してコード信号を送信するように構成されている。ただし、防水ケース３０には、入力制御テーブルＴ２に代わって図１３に示すような入力制御テーブルＴ３が設けられる。
【００８４】
この入力制御テーブルＴ３には、防水ケース３０に設けられた各ボタンの種類と、これらのボタンが操作されたときにデジタルカメラ１０に送信するコード番号が記憶されている。さらに、２つのキーが割り当てられた特定のボタンに関しては、各キーに対応したコード番号が記憶されている。
【００８５】
図１３の例では、「アップボタン」として用いられる押ボタン４６、「ダウンボタン」として用いられる押ボタン４７、「撮影ボタン」として用いられる押ボタン４１に対して、それぞれに２種類のコード番号が記憶されている。
【００８６】
すなわち、押ボタン４６にはコード番号「４７」と「４４」、押ボタン４６にはコード番号「４９」と「４Ｆ」、押ボタン４１にはコード番号「４Ｄ」と「４Ｅ」が記憶されている。これらのコード番号は、当該ボタンの操作の仕方によって選択的に送信される。具体的には、撮影者が所定時間よりも短く押した場合（これを「短押し」と呼ぶ）には一方のコード番号、所定時間以上連続して長く押した場合（これを「長押し」と呼ぶ）には他方のコード番号が送信される。
【００８７】
次に、第２の実施形態の動作を説明する。  
なお、デジタルカメラ１０側の処理については図１０と同様であるため、ここでは、防水ケース３０側の処理についてのみ説明する。
【００８８】
図１４は第２の実施形態における防水ケース３０の処理動作を示すフローチャートである。なお、このフローチャートで示される処理は、プログラムコードの形態で記憶部８３のプログラム記憶部８３ａに予め記録されている。マイクロコンピュータである制御部８１は、このプログラムを読み込むことで、以下のような処理を実行する。
【００８９】
すなわち、制御部８１は、操作部８２からキー信号の入力があったか否かを判断する（ステップＣ１１）。ここで言うキー信号とは、ケース本体３１に設けられた押ボタン３７、押ボタン３８、回転スイッチ３９などのケース側のキーの操作によって入力される信号のことである。
【００９０】
記憶部８３からキー信号の入力があると（ステップＣ１１のＹｅｓ）、制御部８１は、その入力キーに対応したコード番号を図１３の入力制御テーブルＴ３を参照して特定する（ステップＣ１２）。
【００９１】
ここで、制御部８１は、当該ボタンの種類に基づいて短押し／長押しの判定処理が必要であるか否かを判断する（ステップＣ１３）。短押し／長押しの判定処理が不要であれば（ステップＣ１３のＮｏ）、制御部８１は、前記ステップＣ１２で特定されたコード番号を信号化してデジタルカメラ１０に送信する（ステップＣ１４）。これにより、例えば図１２に示す押ボタン３７が押下された場合には、コード番号「４１」を示す信号が通信部８４を介してデジタルカメラ１０に送信されることになる。デジタルカメラ１０では、このコード番号「４１」を受けて、図８に示した入力制御テーブルＴ１を参照して電源のＯＮ／ＯＦＦ処理を実行する。
【００９２】
一方、短押し／長押しの判定処理が必要であれば（ステップＣ１３のＹｅｓ）、制御部８１は、当該ボタンの押下時間に基づいて短押しであるか長押しであるかを判断して、送信すべきコード番号を決定する（ステップＣ１５）。そして、制御部８１は、この決定されたコード番号を信号化してデジタルカメラ１０に送信する（ステップＣ１６）。これにより、例えば図１２に示す押ボタン４１が短押しされた場合には、コード番号「４Ｄ」を示す信号が通信部８４を介してデジタルカメラ１０に送信されることになる。デジタルカメラ１０では、このコード番号「４Ｄ」を受けて、図８に示した入力制御テーブルＴ１を参照して撮影処理を実行する。また、この押ボタン４１が長押しされた場合には、コード番号「４Ｅ」を示す信号が通信部８４を介してデジタルカメラ１０に送信されることになる。デジタルカメラ１０では、このコード番号「４Ｅ」を受けて、図８に示した入力制御テーブルＴ１を参照して再生処理を実行する。
【００９３】
このように、ボタンの押下時間によってコード番号を選択し、これをデジタルカメラ１０に送信することで、１つのボタンに割り当てられた２つの機能を実行することができる。
【００９４】
なお、第２の実施形態では、１つのボタンに２つのキーを割り当てた場合を想定して説明したが、さらに多くのキーを割り当てるようにしても良い。その場合、当該ボタンの押下時間を複数段階に分けて認識し、そのときの押下時間に応じて各キーのコード番号を選択的に送信するといった方法を用いる。
【００９５】
（第３の実施形態）
次に、第３の実施形態について説明する。  
第３の実施形態では、防水ケース３０に水圧や温度などのセンサ類を搭載し、そのセンサ類の測定データを各ボタンの信号を送る信号ラインと同じ信号ラインを利用してデジタルカメラ１０に送るようにしものである。
【００９６】
図１５は本発明の第３の実施形態における撮影システムの構成を示すブロック図である。なお、図１５において、図７と同じ部分には同一符号を付して、その詳しい説明は省略するものとする。
【００９７】
第３の実施形態において、防水ケース３０側に水圧を測定するための水圧センサ８５と温度を測定するための温度センサ８６が設けられている。これらの検出信号はＡ／Ｄ変換器８７を介して制御部８１に与えられる。制御部８１は、デジタルカメラ１０に防水ケース３０が装着されているときに、詳しくは、防水ケース３０内にデジタルカメラ１０が収納されているときに、この２つのセンサ８５，８６にて測定されたデータを通信部８４を介してデジタルカメラ１０に送信する。この測定データの送信タイミングは、一定時間毎、測定内容が所定以上変化したとき、各ボタンの信号を送るとき、カメラ本体から送信要求を受けたとき、などのタイミングで送信する。デジタルカメラ１０側では、これらの測定データを受けて、図１６に示すような処理を実行する。
【００９８】
図１６は第３の実施形態におけるデジタルカメラ１０の処理動作を示すフローチャートである。なお、このフローチャートで示される処理も他の実施形態と同様にプログラムコードの形態で記憶部７５のプログラム記憶部７５ａに予め記録されている。マイクロコンピュータである制御部７１は、このプログラムを読み込むことで、以下のような処理を実行する。
【００９９】
すなわち、まず、水中撮影モードが設定されている状態で（ステップＤ１１）、制御部７１は、防水ケース３０から水圧センサ８５と温度センサ８６の測定データを通信部７６を通じて受信したか否かを判断する（ステップＤ１２）。防水ケース３０から水圧センサ８５と温度センサ８６の測定データを受信した場合には（ステップＤ１２のＹｅｓ）、制御部７１は、これらの測定データを表示部１７に表示するなどの所定の処理を実行する（ステップＤ１３）。
【０１００】
具体的には、制御部７１は、水圧センサ８５の測定データを用いて、以下のような処理を行う。
【０１０１】
・現在の水深表示
・一定の深さ以上のダイビング時間を表示
・水深が所定値を超えたときにアラーム表示
・現在の水深から浮上までに要する平均的な時間を表示
・減圧理論仮説に基づく体内窒素量の予測表示
・水面休息時間の計測結果表示。
【０１０２】
また、制御部７１は、温度センサ８６の測定データを用いて、以下のような処理を行う。
【０１０３】
・現在の水温表示
・水温が所定値以下になったときにアラーム表示。
【０１０４】
図１７に示すように、これらの測定結果９２はスルー画像９１と共に表示部１７の所定の領域に表示される。その際、防水ケース３０を通しても測定結果９２を容易に視認できる位置に表示することが好ましい。
【０１０５】
また、シャッタ操作があった場合、詳しくは、防水ケース３０側の押ボタン３８の押下操作によって送信されるシャッタキー１５の機能に対応したコード番号を受信した場合（ステップＤ１４のＹｅｓ）、制御部７１は、撮影処理を行って被写体の撮影画像を取得する（ステップＤ１５）。
【０１０６】
その際、制御部７１は、水圧センサ８５と温度センサ８６の測定データを当該撮影画像に付加して、例えばＥｘｉｆ(exchangeable image file format)の規格に従って記憶部７５の画像記憶部７５ｃに格納する（ステップＤ１６）。
【０１０７】
このように、防水ケース３０に水圧センサ８５と温度センサ８６を設け、これらの測定データを各ボタンの信号と共にデジタルカメラ１０に送り、デジタルカメラ１０の画面に表示するようにしたことで、以下のような効果が奏せられる。
【０１０８】
すなわち、水中撮影を行う場合に、ダイバーズウォッチなどを別の機器類を用いて水圧や温度を別途確認しなくとも、デジタルカメラ１０の画面上でスルー画像と共にこれらの測定データを容易に確認できる。これにより、現在の状況を把握しながら、水中撮影を安全に行うことができる。また、ボタンの信号を送信する信号ラインと同じ信号ラインを利用するので必要な回路部品の数を減らすことも可能となる。
【０１０９】
さらに、予め所定の水深を超えた場合や所定の水温以下になった場合などにアラーム表示を行うように設定しておけば、撮影に夢中になっていても、そのアラーム表示をデジタルカメラ１０の画面を通して確認することで、危険な状態を回避することができる。
【０１１０】
また、撮影画像にこれらの測定データを付加して保存することで、後で撮影時の環境を確認できて便利である。
【０１１１】
なお、第３の実施形態では、防水ケース３０に設置するセンサとして、水圧センサ８５と温度センサ８６を例にして説明したが、水中撮影で必要とされる情報を測定するためのセンサ類であれば良い。
【０１１２】
（第４の実施形態）
第４の実施形態では、デジタルカメラ１０側で防水ケース３０の装着状態を検出すると共に、その防水ケース３０の種類を判断して所定の処理を実行するようにしたものである。
【０１１３】
なお、基本的な装置構成については、図７または図１５と同様であるため、ここではデジタルカメラ１０側の処理についてのみ説明する。
【０１１４】
図１８は第４の実施形態におけるデジタルカメラ１０の処理動作を示すフローチャートである。なお、このフローチャートで示される処理も他の実施形態と同様にプログラムコードの形態で記憶部７５のプログラム記憶部７５ａに予め記録されている。マイクロコンピュータである制御部７１は、このプログラムを読み込むことで、以下のような処理を実行する。
【０１１５】
すなわち、まず、制御部７１は、防水ケース３０が装着されているか否かを判断する（ステップＥ１１）。これは、デジタルカメラ１０に防水ケース３０が装着された状態、つまり、防水ケース３０内にデジタルカメラ１０が収納された状態では、コネクタ７０，８０を通じて互いに電気的に接続されるので、そのときの信号のやり取りによって判断できる。また、別の方法として、例えばデジタルカメラ１０のカメラ本体１１に接触センサを設置しておき、その接触センサの信号によって防水ケース３０の装着の有無を物理的に検出したり、あるいは、撮影者が図示せぬモード設定画面などを通じて防水ケース３０の装着の有無を明示的に指示するようにしても良い。
【０１１６】
防水ケース３０が装着されていた場合（ステップＥ１１のＹｅｓ）、制御部７１は、水中撮影モードを設定する（ステップＥ１２）。
【０１１７】
水中では、光の減衰による影響を受けて色が変化することが知られている。すなわち、太陽の光は波長によって、赤，橙，黄，緑，青，藍，紫の７色に分かれる。この７色に働く水による光の吸収は、ブルーのフィルタ効果と同じように光の波長によって選択的に行われる。具体的には、まず、波長の長い赤色が吸収され、次に橙色，黄色、そして、波長の短い青が最後まで残る。水中では、赤いものが赤色に見えず、青一色の世界に近いものになるのはこのためである。この光の減衰に伴う色変化の現象は、水深が深くなる程、つまり、太陽光が届かなくなる深い場所ほど強くなる。
【０１１８】
このようことから、水中で撮影した画像は陸上で撮影した画像と違ってコントラストが乏しく、くすんだ色合いになることが多い。そこで、水中撮影モードでは、このような光の減衰に伴う色変化を適切に補正して良好な撮影画像を得るようにしている。
【０１１９】
また、防水ケース３０が装着されていた場合において、制御部７１は、その防水ケース３０の種類を判別する（ステップＥ１３）。これは、防水ケース３０の装着時に当該防水ケース３０の種類を示す属性情報をデジタルカメラ１０に送信することで判別できる。また、別の方法として、防水ケース３０に種類別に個数が異なる接触ピンを設けておき、防水ケース３０の装着時にその接触ピンの個数から種類を判別したり、あるいは、撮影者が図示せぬモード設定画面などを通じて防水ケース３０の種類を明示的に指示するようにしても良い。
【０１２０】
デジタルカメラ１０に装着された防水ケース３０の種類が判別されると、制御部７１は、その防水ケース３０の種類に基づいて所定の処理を実行する（ステップＥ１４）。具体的には、例えば水圧センサ８５や温度センサ８６などのセンサ付きの防水ケース３０であると判断された場合には、そのセンサ情報を表示するためのエリアを確保して、前記第２の実施形態で説明したような表示を行うことである。防水ケース３０がセンサ付きでなければ、表示部１７の全体をスルー画像の表示エリアとして用いる。
【０１２１】
また、本発明の第２の実施形態の防水ケースのような防水ケース側でコード番号の変換を行う機能を有していない種類の防水ケースが装着されたことを判別し、この場合にはカメラ本体側でコードの送信パターンを解析して実行すべき処理を判断するようにしてもよい。
【０１２２】
このように、デジタルカメラ１０側で防水ケース３０の装着を判断することで、撮影者が特に意識しなくとも、防水ケース３０を用いた撮影環境に適したモードを設定して、良好な撮影画像を得ることができる。
【０１２３】
また、防水ケース３０の種類を判断することで、センサ情報の表示処理などを含め、現在の防水ケース３０の種類に応じた最適な処理を行うことができる。
【０１２４】
なお、本発明は、デジタルカメラ１０と防水ケース３０に限らず、多数のキーを有する電子機器と、その電子機器を収納するケースであれば、同様に適用可能である。
【０１２５】
また、デジタルカメラ１０と防水ケース３０との間の通信形態は、シリアル通信に限らず、例えばＢｌｕｅｔｏｏｔｈ（登録商標）等の無線通信であっても良い。
【０１２６】
要するに、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１２７】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１２８】
さらに、前記各実施形態を実現するためのプログラムは、デジタルカメラ１０側の処理と防水ケース３０側の処理に分けた形で提供されても良いし、両方の処理を記述した形で提供されても良い。
【図面の簡単な説明】
【０１２９】
【図１】図１は本発明の第１の実施形態に係る撮像装置として小型のデジタルカメラを例にした場合の外観構成を示す図であり、そのデジタルカメラを正面から見た斜視図である。
【図２】図２は同実施形態におけるデジタルカメラの背面図である。
【図３】図３は同実施形態における防水ケースの外観構成を示す図であり、その防水ケースを正面から見た斜視図である。
【図４】図４は同実施形態における防水ケースの背面図である。
【図５】図５は防水ケースの一般的なボタン配置を説明するための図である。
【図６】図６は防水ケースの各ボタンの間隔を広げて配置した場合の利点を説明するための図である。
【図７】図７は同実施形態におけるデジタルカメラと防水ケースを用いた撮影システムの構成を示すブロック図である。
【図８】図８は同実施形態におけるデジタルカメラに設けられた入力制御テーブルの構成を示す図である。
【図９】図９は同実施形態における防水ケースに設けられた入力制御テーブルの構成を示す図である。
【図１０】図１０は同実施形態におけるデジタルカメラの処理動作を示すフローチャートである。
【図１１】図１１は同実施形態における防水ケース３０の処理動作を示すフローチャートである。
【図１２】図１２はと実施形態における防水ケースの各ボタンの配置を示す図である。
【図１３】図１３は同実施形態における防水ケースに設けられた入力制御テーブルの構成を示す図である。
【図１４】図１４は同実施形態における防水ケースの処理動作を示すフローチャートである。
【図１５】図１５は本発明の第３の実施形態におけるデジタルカメラと防水ケースを用いた撮影システムの構成を示すブロック図である。
【図１６】図１６は第３の実施形態におけるデジタルカメラの処理動作を示すフローチャートである。
【図１７】図１７は同実施形態におけるセンサ情報の表示例を示す図である。
【図１８】図１８は本発明の第４の実施形態におけるデジタルカメラの処理動作を示すフローチャートである。
【符号の説明】
【０１３０】
１０…デジタルカメラ、１１…カメラ本体、１２…撮影レンズ部、１２ａ…鏡胴、１３…ストロボ部、１４…電源キー、１５…シャッタキー、１６…ズームキー、１６ａ…操作レバー、１７…表示部、１８…撮影キー、１９…再生キー、２０…ＤＩＳＰキー、２１…メニューキー、２２…多機能キー、２２ａ…セットキー、２２ｂ〜２２ｅ…選択キー、２３…ベストショットキー、３０…防水ケース、３１…ケース本体、３２…フロントケース、３３…リアケース、３４…ヒンジ部、３５…ロック部材、３６…収納筒部、３７，３８，４１〜５０…押ボタン、３９…回転スイッチ、４０…押下スイッチ、４０ａ…軸、５１〜５３…操作ボタン、７０…コネクタ、７１…制御部、７２…撮影部、７３…操作部、７５…記憶部、７５ａ…プログラム記憶部、７５ｂ…テーブル記憶部、７５ｃ…画像記憶部、７６…通信部、８０…コネクタ、８１…制御部、８２…操作部、８３…記憶部、８３ａ…プログラム記憶部、８３ｂ…テーブル記憶部、８４…通信部、８５…水圧センサ、８６…温度センサ、９１…スルー画像、９２…測定結果、Ｔ１〜Ｔ３…入力制御テーブル。
【図１】
2008164837.tif 000003
【図２】
2008164837.tif 000004
【図３】
2008164837.tif 000005
【図４】
2008164837.tif 000006
【図５】
2008164837.tif 000007
【図６】
2008164837.tif 000008
【図７】
2008164837.tif 000009
【図８】
2008164837.tif 000010
【図９】
2008164837.tif 000011
【図１０】
2008164837.tif 000012
【図１１】
2008164837.tif 000013
【図１２】
2008164837.tif 000014
【図１３】
2008164837.tif 000015
【図１４】
2008164837.tif 000016
【図１５】
2008164837.tif 000017
【図１６】
2008164837.tif 000018
【図１７】
2008164837.tif 000019
【図１８】
2008164837.tif 000020